(57)【要約】  【課題】  撮影条件および画像構成に関する設定を既撮影画像に関するものと容易に同一とできる。  【解決手段】  ＬＣＤの表示画面ＳＴ１には、撮影画像Ｒと再生画像Ｐ１，Ｐ２とが同時に表示されている。メニューボタン２５が押されると、カメラメニュー２８が表示され、「設定流用」の項目が選択される。既撮影画像の中で設定を流用したい画像が選択される。表示画面ＳＴ４で示すように、再生画像を指示する枠状のカーソルＣｓが表示される。カーソルＣｓが所望の再生画像に位置する状態で、決定キーを押すことで画像を確定することができる。表示画面ＳＴ５において、ユーザに対して設定流用がＯＫか否かの確認の表示２９がなされる。設定を流用すると決定した場合には、ディジタルカメラの撮影設定情報および画像構成設定情報が流用する既撮影画像と同一のものに変更される。【選択図】  図４
2006115045.tif 000002
【特許請求の範囲】
【請求項１】
撮像素子と、表示装置と、上記表示装置に表示される画像を蓄える記憶媒体と、ユーザの入力を受け付ける入力装置とを備える撮像装置において、
上記記憶媒体に蓄えられている１または複数の既撮影画像を上記表示装置に表示して所望の既撮影画像を選択し、
上記選択された既撮影画像の設定を流用した設定とするようにした撮像装置。
【請求項２】
請求項１において、
上記表示装置に表示されている画像を撮影するようにした撮像装置。
【請求項３】
請求項１において、
流用された上記選択された既撮影画像の設定を変更可能とした撮像装置。
【請求項４】
撮像素子と、表示装置と、上記表示装置に表示される画像を蓄える記憶媒体と、ユーザの入力を受け付ける入力装置とを備える撮像装置を使用する撮像方法において、
上記記憶媒体に蓄えられている１または複数の既撮影画像を上記表示装置に表示して所望の既撮影画像を選択し、
上記選択された既撮影画像の設定を流用した設定とする撮像方法。
【請求項５】
撮像素子と、表示装置と、上記表示装置に表示される画像を蓄える記憶媒体と、ユーザの入力を受け付ける入力装置とを備える撮像装置に対する撮像方法プログラムにおいて、
上記記憶媒体に蓄えられている１または複数の既撮影画像を上記表示装置に表示して所望の既撮影画像を選択し、
上記選択された既撮影画像の設定を流用した設定とする撮像方法をコンピュータに対して実行させる撮像方法プログラム。。
【請求項６】
撮像素子と、表示装置と、上記表示装置に表示される画像を蓄える記憶媒体と、ユーザの入力を受け付ける入力装置とを備える撮像装置のユーザインターフェースにおいて、
上記記憶媒体に蓄えられている１または複数の既撮影画像を上記表示装置に表示し、
上記表示されている既撮影画像に対して選択の表示を行い、
上記選択された既撮影画像の設定を流用した設定とするか否かを上記表示装置に表示する撮像装置のユーザインターフェース。
【発明の詳細な説明】
【技術分野】
【０００１】
この発明は、例えば電子カメラに適用され、撮影画像の検索を容易とした撮像装置、撮像方法、撮像方法プログラムおよびユーザインターフェースに関する。
【背景技術】
【０００２】
従来の電子カメラは、撮影の際に事前に撮影条件を設定することが可能とされている。しかしながら、カメラの撮影に習熟していないと、撮影条件の設定値から出来上がった画像を想像することが困難であり、また、設定値の意味や設定条件同士の関係等を理解することができない問題があった。また、設定を一旦変更すると、前の設定状態に戻したい場合に、設定状態を記憶しておき、再度設定する必要があった。したがって、露出、シャッター速度等の撮影条件を自動的に設定するオート撮影の機能が備えられているのが普通であった。
【０００３】
下記の特許文献１には、複数の状況に対して最適化された設定を有する事前プログラムモード例えば通常撮影モードとスポーツモードとを備え、事前プログラムモードが工場出荷時のデフォルトの設定からユーザが使用するのにしたがって学習がなされ、ユーザの好みに適したものに設定値が変更されることが記載されている。
【０００４】
【特許文献１】特開２００２−２０４３８７号公報
【発明の開示】
【発明が解決しようとする課題】
【０００５】
ある被写体を撮影した場合に、撮影が良好になされたことに基づいて、似たような被写体の撮影に関して、同様の撮影条件を設定したい場合が生じる。特許文献１は、事前プログラムモードを学習によってユーザの好みに応じたものに変更するもので、既に撮影した画像と全く同一の撮影条件を実現する点については記載されていない。
【０００６】
オート撮影で良好に撮影がなされた場合、当該オート撮影と同じ設定で撮影を行いたい場合には、既に撮影された画像に付随するＥｘｉｆ情報から撮影条件を表示して確認し、マニュアルで種々の設定値を設定する必要があり、面倒な操作を必要としていた。しかも、Ｅｘｉｆ情報の一部しか見ることができないことが多く、撮影条件を再現することが困難であった。また、マニュアルで撮影条件を設定した場合では、撮影条件を変更すると、撮影に成功した時の設定を思い出して改めて設定を行う必要があり、面倒な操作を必要とした。
【０００７】
したがって、この発明の目的は、現在捉えられている被写体の画像を過去に撮影した画像と同様の設定で撮影することが可能な撮像装置、撮像方法、撮像方法プログラムおよびユーザインターフェースを提供することにある。
【課題を解決するための手段】
【０００８】
上述した課題を解決するために、この発明の第１の態様は、撮像素子と、表示装置と、表示装置に表示される画像を蓄える記憶媒体と、ユーザの入力を受け付ける入力装置とを備える撮像装置において、
記憶媒体に蓄えられている１または複数の既撮影画像を表示装置に表示して所望の既撮影画像を選択し、
選択された既撮影画像の設定を流用した設定とするようにした撮像装置である。
【０００９】
この発明の第２の態様は、撮像素子と、表示装置と、表示装置に表示される画像を蓄える記憶媒体と、ユーザの入力を受け付ける入力装置とを備える撮像装置を使用する撮像方法において、
記憶媒体に蓄えられている１または複数の既撮影画像を表示装置に表示して所望の既撮影画像を選択し、
選択された既撮影画像の設定を流用した設定とする撮像方法である。
【００１０】
この発明の第３の態様は、撮像素子と、表示装置と、表示装置に表示される画像を蓄える記憶媒体と、ユーザの入力を受け付ける入力装置とを備える撮像装置に対する撮像方法プログラムにおいて、
記憶媒体に蓄えられている１または複数の既撮影画像を表示装置に表示して所望の既撮影画像を選択し、
選択された既撮影画像の設定を流用した設定とする撮像方法をコンピュータに対して実行させる撮像方法プログラムである。
【００１１】
この発明の第４の態様は、撮像素子と、表示装置と、表示装置に表示される画像を蓄える記憶媒体と、ユーザの入力を受け付ける入力装置とを備える撮像装置のユーザインターフェースにおいて、
記憶媒体に蓄えられている１または複数の既撮影画像を表示装置に表示し、
表示されている既撮影画像に対して選択の表示を行い、
選択された既撮影画像の設定を流用した設定とするか否かを表示装置に表示する撮像装置のユーザインターフェースである。
【発明の効果】
【００１２】
この発明によれば、既に撮影した画像の設定情報を基に同様の設定で撮影することができるので、容易に現在と異なる設定を実現できる。すなわち、ユーザ自身が設定情報を記憶しておく必要がなく、マニュアル設定と異なり、設定値の意味や設定条件同士の関係等を理解する負担がない。
【発明を実施するための最良の形態】
【００１３】
以下、この発明の一実施形態について図面を参照しながら説明する。図１に、この発明の一実施形態によるディジタルカメラの構成の一例を示す。一実施形態は、社団法人  電子情報技術産業協会(JEITA:Japan Electronics and Information Technology industries Association)の規格として定められている現在の標準的なディジタルカメラの規格に準
拠したものである。
【００１４】
すなわち、一実施形態は、ＤＣＦ(Design rule for Camera File System)のファイルシステムの規格に準拠し、Ｅｘｉｆ(Exchangeable image file format for digital still
camera)のファイルフォーマットの規格に準拠したものである。ＪＰＥＧファイルフォー
マットには、アプリケーションマーカセグメントという領域が定義されており、アプリケーション固有の情報を格納できるようにされている。Ｅｘｉｆファイルフォーマットは、この領域にＥｘｉｆ独自の情報を格納している。
【００１５】
図１において、破線で囲んで示す部分１は、ＣＰＵ(Central Processing Unit)２によ
って制御される処理部を示す。処理部１は、ＲＡＭ等の内部記録媒体３、画像処理部４、外部インターフェース５、ＲＧＢ処理部６、信号処理部７およびビデオ出力処理部８によって構成されている。ＣＰＵ２に対して操作部９が接続され、操作部９に設けられシャッター等の操作に応じた信号がＣＰＵ２に供給される。
【００１６】
さらに、メディア処理部１０を介して外部記録媒体１１に対して撮像信号をＪＰＥＧ（Joint Photographic Experts Group)等で圧縮したデータを記録するようになされている
。外部記録媒体１１は、書き込み可能な光ディスク、メモリカード等である。
【００１７】
信号処理部７には、撮像素子としてのＣＣＤ（Charge Coupled Device)１２からの撮像信号が供給され、撮像信号の処理がなされる。操作部９からの入力の有無と無関係に、ＣＣＤ１２により撮像された画像信号が信号処理部７から出力され、内部記録媒体３に保存される。撮影中では、内部記録媒体３の画像が常に更新されている。内部記録媒体３のデータの書き込み、読み出し等は、ＣＰＵ２によって制御される。
【００１８】
内部記録媒体３からの撮像信号が信号処理部７を通ってＲＧＢ処理部６に供給され、ＲＧＢ処理部６で形成された表示信号が表示装置としてのＬＣＤ（Liquid Crystal Display)１３に供給される。ＬＣＤ１３は、例えばカメラ本体の背面に設けられたものである。
ＬＣＤ１３には、撮像信号のみならず、外部記録媒体１１からメディア処理部１０を介して取り込まれた画像信号も表示される。
【００１９】
操作部９のシャッターが押された場合には、内部記録媒体３に取り込まれた撮像信号が画像処理部４において、ＪＰＥＧ等の画像ファイルに変換される。画像ファイルは、内部記録媒体３に撮像信号とは別のデータとして保存される。そして、ＣＰＵ２の制御によって、内部記録媒体３から読み出された画像ファイルがメディア処理部１０を介して外部記録媒体１１に保存される。
【００２０】
常に更新されてＬＣＤ１３に再生画像が表示される。再生画像に対して、記録済の画像データの縮小画像、アイコン等のＯＳＤデータが信号処理部７で重ね合わされて、ＬＣＤ１３に表示される。ＯＳＤ(On Screen Display)とは、カメラから取り込んだリアルタイ
ムの画像に重ねて表示するアイコン等のデータを準備するためのメモリ領域や、仕組みを総称する用語である。
【００２１】
ＯＳＤデータを作成する際には、外部記録媒体１１に既に記録されている最新の画像データを取得し、画像処理部４によって、ＯＳＤ表示に適したサイズに変換してから、内部記録媒体３のＯＳＤ表示エリアに記憶する。但し、直前に撮影した画像のＯＳＤ表示に適したサイズの画像が内部記録媒体３に存在する時には、外部記録媒体１１からデータを取得する必要がない。画像処理部４は、操作部９におけるユーザのキー等の操作に応答して、表示する画像の拡大または縮小の処理を行うように、ＣＰＵ２によって制御される。
【００２２】
ビデオ出力処理部８から図示しない映像出力端子には、アナログのカラービデオ信号が取り出される。映像出力端子に対して外部モニタ１４を接続した場合には、内部記録媒体３または外部記録媒体１１に蓄積されている画像を外部モニタ１４によって表示することができる。さらに、外部インターフェース５には、例えばプリンタ１５が接続され、画像を印刷することが可能とされている。
【００２３】
操作部９には、十字キーが含まれている。十字キーは、十字形の操作部の各先端部（左ボタン、右ボタン、上ボタン、下ボタンと称する）を押すことによってカーソルの移動方向を上下左右の何れかの方向に指定するものである。なお、方向キーとしては、十字キー以外に、ダイヤル、ローラ、トラックボール、タッチパネル等の入力装置を使用することができる。また、機械的な構成に限らず、表示画面のボタン等を操作するＧＵＩ(Graphical User Interface)を使用しても良い。
【００２４】
Ｅｘｉｆファイルフォーマットでは、図２に示すようなＥｘｉｆ  ＩＦＤの付属情報が規定されている。図２は、付属情報の抜粋であり、撮影条件に関するタグと、画像データの構成に関するタグとを示している。また、簡単のためＥｘｉｆ  ＩＦＤの付属情報の意味、タグ名、タグ（２バイト）のみを示し、値のタイプおよび値の数は、省略されている。
【００２５】
内部記録媒体３または外部記録媒体１１に保存されている画像の撮影設定情報は、Ｅｘｉｆファイルフォーマットによって画像ファイル内に包括されている。この撮影設定情報は、内部記録媒体３の揮発性メモリ（ＲＡＭ）部分に読み出される。例えばレンズにかかわる設定であれば、信号処理部７のカメラ・レンズ制御部からレンズを制御し、ＬＣＤ１３に表示される画像にレンズの設定を反映させる。後述するように、過去に撮影され、保存されている画像（既撮影画像と称する）の設定を流用する場合では、既撮影画像の設定によってレンズ等が制御され、現在撮影され、ＬＣＤ１３に表示されている画像に既撮影画像の設定が反映される。
【００２６】
この発明の一実施形態では、内部記録媒体３または外部記録媒体１１に保存されている既撮影画像がＬＣＤ１３に表示され、表示されている既撮影画像中の所望の画像が選択され、保存されている選択された画像の設定情報が呼び出され、ディジタルカメラの設定が呼び出された設定情報に変更される。このようにして既撮影画像の設定情報を流用することによって、その画像と同様の設定で撮影することができる。設定情報として上述したＥｘｉｆ  ＩＦＤの付属情報が利用される。この場合、必要な一部の情報が利用される。例えば図２において、＊が付された情報が利用される。
【００２７】
図２から分かるように、露出時間、シャッター速度、レンズ焦点距離等の撮影条件に関する撮影設定情報が流用されるのみならず、画像データの構成（画像の幅、画像の高さ）に関する画像構成設定情報も流用される。画像構成設定を流用することによって、縦横比（アスペクト比）を既撮影画像と同様のものに設定できる。例えば（４：３）、縦長、正方形、パノラマ等の形状を容易に設定できる。
【００２８】
図３は、この発明の一実施形態の動作の流れを示すフローチャートである。図４は、画像遷移を示す図である。図４の最上段の表示画面ＳＴ１は、例えば電源をＯＮした時にＬＣＤ１３に表示される画面である。オート撮影モードでは、ホワイトバランス、露出等の撮影条件が適切なものに自動的に設定される。ＬＣＤ１３としては、アスペクト比が４対３のものと、１６対９のようなワイドなものとの何れも使用できる。図４は、ワイドＬＣＤを使用した場合を表している。この場合では、撮影画像Ｒと再生画像Ｐ１，Ｐ２とが同時に表示されている。
【００２９】
撮影画像Ｒは、現在レンズを通して捉えられている画像であり、再生画像Ｐ１，Ｐ２は、既撮影画像の再生画像である。再生画像Ｐ１，Ｐ２は、時間軸に沿って横方向に配列されている。再生画像Ｐ１が直前に撮影された画像であり、再生画像Ｐ２は、その前に再生された画像である。
【００３０】
撮影画像Ｒと再生画像Ｐとの識別を容易とするために、撮影画像Ｒが再生画像Ｐに比してより大きなサイズとされている。また、画像に異なる形状のアイコンを付加することによって、撮影画像Ｒと再生画像Ｐとを識別するようにしても良い。
【００３１】
この撮影画像Ｒと再生画像Ｐ１，Ｐ２が同時に表示されている表示画面ＳＴ１は、撮影モードと再生モードの混在状態である。すなわち、シャッターボタン２４を押すことによって新たな画像を記録することができると共に、所望の画像を再生画像として表示することができる。したがって、ユーザは、直前に撮影された画像を見ながら、新たに撮影する画像の構図等を決定することができる。
【００３２】
さらに、参照符号２４がシャッターボタンであり、参照符号２５がメニューボタンであり、参照符号２６が削除ボタンであり、参照符号２７が十字キーである。十字キー２７は、上下左右の４カ所のキーを押すことができると共に、中心部を押すことができるキーである。上下左右のそれぞれのキーを押すことで、方向を指示することができ、中心部のキーを押すことで決定を指示することができる。
【００３３】
表示画面ＳＴ１が表示されている状態において、ステップＳ１でメニューボタン２５が押されると、カメラメニューがＬＣＤ１３に表示される（ステップＳ２）。
【００３４】
ステップＳ２においてＬＣＤ１３に表示される表示画面が図４中でＳＴ２として示されている。参照符号２８で示すカメラメニューは、例えば「フラッシュ」「セルフタイマ」「設定流用」「マクロ撮影」の項目を表示する。ユーザは、十字キー２７の上下キーを操作して所望の項目を選択する。表示画面ＳＴ２では、「フラッシュ」の項目が選択されている状態を示している。
【００３５】
ステップＳ３において、「設定流用」の項目が選択される。表示画面ＳＴ３で示すように、十字キー２７の上下キーを操作して「設定流用」の項目に選択を意味するハイライト部分を位置させ、十字キー２７の中央の決定キーを押して選択を決定する。その結果、再生モードから設定流用モードへ遷移する。
【００３６】
ステップＳ４において、十字キー２７によって既撮影画像の中で設定を流用したい画像が選択される。表示画面ＳＴ４で示すように、再生画像を指示する枠状のカーソルＣｓが表示される。表示画面ＳＴ４では、再生画像Ｐ３に対してカーソルＣｓが位置している。十字キー２７の左右キーを操作することで、カーソルＣｓの位置が固定であるのに対して再生画像の配列が左右に送られ、カーソルＣｓの位置に一致する再生画像が変化する。
【００３７】
ステップＳ７は、画像確定処理である。すなわち、カーソルＣｓが所望の再生画像に位置する状態で、十字キー２７の中央部を押すことで画像を確定することができる。ステップＳ８において、設定流用がＯＫか否かが決定される。表示画面ＳＴ５において、ユーザに対する確認の表示２９がなされる。十字キー２７の左右キーと中央部の決定キーとを操作することで、設定を流用するか否かが決定される。設定を流用すると決定した場合には、ディジタルカメラの撮影設定情報および画像構成設定情報が流用する既撮影画像と同一のものに変更される（ステップＳ９）。
【００３８】
表示画面ＳＴ５で示すように、設定流用の確認用表示２９が表示される場合に、ディジタルカメラの設定が暫定的に流用しようとする既撮影画像と同一の設定となされ、流用しようとする設定を反映した撮影画像Ｒが表示される。ユーザは、撮影画像Ｒを見て設定を流用するか否かの判断の参考とすることができる。
【００３９】
図５は、この発明による撮影の他の例を示す画像である。例えばファッションショーのモデルを一人ずつ撮影している場合、被写体としてのモデルまでの距離が殆ど同じで、被写体の動く速度をほぼ同一で、明るさもほぼ同一の状況下での撮影であるために、撮影に関する設定を変更せずに連続して撮影することができる。
【００４０】
しかしながら、図５において、画像Ｐ１１を撮影した後に、ステージ全体を撮影し、画像Ｐ１２が記録された場合には、撮影設定情報が変化しているので、次にモデルを画像Ｐ１１の撮影設定と同一の設定で撮影することができなくなる。自動的に撮影設定がなされるオートモード、および手動で撮影設定を行うマニュアルモードの何れの場合でもこのような問題が生じる。
【００４１】
この発明は、途中で撮影設定が変化する画像を撮影した場合でも、設定流用のメニューを実行することで、画像Ｐ１１および画像Ｐ１３の設定を同一とすることができる。画像Ｐ１３以降のモデルの画像Ｐ１４，Ｐ１５，・・・は、同一の撮影設定でもって画像を撮影できる。
【００４２】
さらに、設定流用において、設定を全く同一としないで、一部の条件を変更することを可能としても良い。図６および図７は、操作と表示画面の遷移とを示す。図６および図７は、一連の遷移を示すものであるが、図面作成スペースの制約から２つの図に分離して遷移を示している。
【００４３】
表示画面ＳＴ１１では、モデルを撮影した画像Ｐ９，Ｐ１０，Ｐ１１と、ステージ全体を撮影した画像Ｐ１２と、現在撮影中の撮影画像ＲとがＬＣＤ１３に表示されている。表示画面ＳＴ１１が表示されている状態において、メニューボタン２５が押されると、表示画面ＳＴ１２が表示される。
【００４４】
表示画面ＳＴ１２には、カメラメニュー２８が表示される。ユーザは、十字キー２７の上下キーを操作して表示画面ＳＴ１３で示すように、「設定流用」の項目を選択する。十字キー２７の上下キーを操作して「設定流用」の項目にハイライト部分を位置させ、十字キー２７の中央の決定キーを押して選択を決定する。その結果、再生モードから設定流用モードへ遷移する。
【００４５】
十字キー２７によって既撮影画像の中で設定を流用したい画像が選択される。表示画面ＳＴ１４で示すように、再生画像を指示する枠状のカーソルＣｓが表示される。表示画面ＳＴ１４では、再生画像Ｐ１１に対してカーソルＣｓが位置している。カーソルＣｓが再生画像Ｐ１１に位置する状態で、十字キー２７の中央部を押すことで設定を流用したい画像Ｐ１１が確定する。
【００４６】
表示画面ＳＴ１５において、ユーザに対して設定流用がＯＫか否かを確認する表示２９がなされる。十字キー２７の左右キーと中央部の決定キーとを操作することで、設定を流用するか否かが決定される。設定を流用すると決定した場合には、ディジタルカメラの撮影設定情報および画像構成設定情報が流用する既撮影画像と同一のものに変更される。
【００４７】
表示画面ＳＴ１５までは、図４に示す画面遷移と同様である。上述したように、設定流用の確認用表示２９が表示される場合に、流用しようとする設定を反映した撮影画像Ｒを表示するようになされる。
【００４８】
図７における表示画面ＳＴ１６は、設定流用モードによって既撮影画像Ｐ１１と同一の設定がなされた状態で表示される。撮影画像Ｒをそのまま撮影することが可能であるが、ここでは、マニュアル操作で設定を変更する。
【００４９】
メニューボタン２５が押されると、表示画面ＳＴ１７が表示される。表示画面ＳＴ１７には、撮影メニュー３０が表示されている。撮影メニュー３０には、画像サイズの表示と、画像構成の表示とがなされている。また、撮影メニュー３０の表示は、半透明で再生画像をある程度見ることができる。
【００５０】
表示画面ＳＴ１７において、十字キー２７の右キーを操作して、表示画面ＳＴ１８に示すように、ハイライト部分を画像サイズ変更欄へ移動させる。表示画面ＳＴ１８において、十字キー２７の上下キーを操作して画像サイズが設定される。画像サイズとしては、「ＶＧＡ」、「１Ｍ（メガ）」，「２Ｍ」，「３Ｍ」，「５Ｍ」の種類が用意されている。現在の設定は、「ＶＧＡ」とされている。さらに、必要であれば、十字キー２７の左右キーを操作して画像構成変更欄へハイライト部分を移動させて画像構成を変更できる。画像構成としては、「パノラマ」、「縦長」、「１６：９」、「３：２」、「４：３」が用意されている。ここでは、「縦長」の画像構成が選択されている。
【００５１】
表示画面ＳＴ１９で例えば「３Ｍ」の画像サイズが選択されている状態で、十字キー２７の決定キーが押され、画像サイズが「ＶＧＡ」から「３Ｍ」へ変更される。表示画面ＳＴ２０は、決定キーが押された後に表示される画面である。そして、撮影メニュー３０の表示が消えて、表示画面ＳＴ２１が表示される。この表示画面ＳＴ２１が表示されている状態で、シャッターボタン２４を押すことで、撮影画像Ｒを撮影して記録することができる。
【００５２】
図８は、この発明をパノラマ撮影に適用した例を示す。例えばパーソナルコンピュータの画像編集用ソフトウェアによって複数枚の写真を合成してパノラマ画像を作成する場合、「ホワイトバランス」「露出」「ズーム倍率」等の撮影設定を固定化することが必要である。
【００５３】
例えば晴れている野外の風景の場合、全体にまんべんなく光が行き届いている状況であれば、通常、ユーザは、ホワイトバランス設定を「オート」にする。しかしながら、撮影する景色の中で一部だけ太陽が強く照らしていたり、明るさが一定でない景色を撮影すると、写真毎に色合いが相違し、ソフトウェアでの合成が困難になることが起こりうる。そこで、「オート」を避けて適切な設定に固定する必要がある。
【００５４】
ホワイトバランス以外の設定に関しても同様である。例えば図８Ａに示すように、写真Ｐ２１、Ｐ２２、Ｐ２３を合成したい場合、写真Ｐ２２のズーム倍率が他の写真のものと相違すると、写真Ｐ２１〜Ｐ２３を合成した場合に、良好に写真が連結されない問題が生じる。
【００５５】
この発明では、マニュアル撮影でもオート撮影でも、既撮影画像の撮影設定を流用できるので、同一の設定で次の画像を撮影することができ、良好にパノラマ合成を行うことができる。
【００５６】
この発明は、上述したこの発明の一実施形態等に限定されるものでは無く、この発明の要旨を逸脱しない範囲内で様々な変形や応用が可能である。例えばこの発明は、Ｅｘｉｆファイルフォーマットに限定されず、既撮影画像と関連して撮影設定および画像設定の情報を記録することができる撮像装置および撮像方法に対して適用可能である。また、この発明は、静止画像を記録するディジタルカメラに限定されるものではなく、動画を記録する撮影装置、並びに静止画および動画の両方を記録可能な撮影装置に対しても適用できる。
【図面の簡単な説明】
【００５７】
【図１】この発明による撮像装置の一実施形態の構成を示すブロック図である。
【図２】この発明の一実施形態における撮影条件に関するタグを説明するための略線図である。
【図３】この発明の一実施形態の動作を説明するためのフローチャートである。
【図４】ワイドＬＣＤを使用した場合における画面表示の遷移の一例を示す略線図である。
【図５】この発明の一実施形態の動作を説明するための画面表示の一例を示す略線図である。
【図６】ワイドＬＣＤを使用した場合における画面表示の遷移の他の例を示す略線図である。
【図７】ワイドＬＣＤを使用した場合における画面表示の遷移の他の例を示す略線図である。
【図８】この発明の一実施形態の動作を説明するための画面表示の他の例を示す略線図である。
【符号の説明】
【００５８】
１・・・処理部
２・・・ＣＰＵ
３・・・内部記録媒体
９・・・操作部
１１・・・外部記録媒体
１２・・・ＣＣＤ
１３・・・ＬＣＤ
２４・・・シャッターボタン
２５・・・メニューボタン
２７・・・十字キー
【図１】
2006115045.tif 000003
【図２】
2006115045.tif 000004
【図３】
2006115045.tif 000005
【図６】
2006115045.tif 000006
【図７】
2006115045.tif 000007
【図４】
2006115045.tif 000008
【図５】
2006115045.tif 000009
【図８】
2006115045.tif 000010